(57)【要約】【課題】温度検知手段の検知遅れがあっても、容易な構成で高温報知手段を駆動することにより、使用者の安全を確保すること。【解決手段】少なくとも一つの電気抵抗発熱式加熱手段７の加熱開始から、予め決められた時間ｔ１経過後、高温注意ランプ５を点灯または点滅させ、加熱終了後は、予め決められた時間経過後（ｔ３−ｔ２）に高温注意ランプ５を消灯させることで、容易な手段で使用者に対して注意を促すことができる。【選択図】図１
2010266112.tif 000002
【特許請求の範囲】
【請求項１】
外郭を構成する本体と、前記本体の上面に設けた耐熱性かつ電気絶縁物よりなるガラスプレートと、前記ガラスプレート上に設けた少なくとも一つの加熱部と、前記ガラスプレートの下方に前記加熱部に対応して設けたサーモスタットを具備した電気抵抗発熱式加熱手段と、前記ガラスプレート上に前記電気抵抗発熱式加熱手段に対応して設けられた加熱調理条件を入力する上操作部と、前記本体の前面に設けた、少なくとも一つの加熱調理を入力する前操作部と、前記上操作部と前記前操作部からの信号により前記加熱手段を制御する制御回路とを備え、前記上操作部または前操作部より少なくとも一つの電気抵抗発熱式加熱手段の加熱を開始した際、一定時間経過後に、前記ガラスプレートが高温である事を使用者に注意喚起する、高温注意ランプの点灯または点滅を開始する加熱調理器。
【請求項２】
前記電気抵抗発熱式加熱手段と前記ガラスプレート間に温度を検知する前記サーモスタットを具備し、前記サーモスタットが作動すると前記高温注意ランプが点灯から素早い点滅に変化し、使用者に対して一層の注意を促す事が出来る、請求項１に記載の加熱調理器。
【請求項３】
前記電気抵抗発熱式加熱手段の加熱開始後、時間と共に前記高温注意ランプの明るさを徐々に明るくさせ、使用者に対して一層の注意を促す事が出来る請求項１に記載の加熱調理器。
【請求項４】
前記電気抵抗発熱式加熱手段の加熱開始後、前記高温注意ランプを点滅させ、時間と共に点滅速度を上げて行き、使用者に対して一層の注意を促す事が出来る請求項１に記載の加熱調理器。
【請求項５】
前記電気抵抗発熱式加熱手段の加熱終了後、使用者に対して高温のガラスプレートに対する注意を音声メッセージにて案内する請求項１〜４のいずれか１項に記載の加熱調理器。
【発明の詳細な説明】
【技術分野】
【０００１】
本発明は、加熱を開始した後、ガラスプレートが高温である事を使用者に対して注意を促す加熱調理器に関するものである。
【背景技術】
【０００２】
従来、この種の加熱調理器を、図３及び図４を用いて説明する。図３において加熱開始後、インバータ回路３０及び加熱コイル３１により負荷鍋１８の底面に渦電流が誘起されジュール熱により発熱する。この底面の熱がガラスプレート１２に伝わり、ガラスプレート１２の熱がサーミスタ３３に伝達して、サーミスタ３３の温度が図４に示すＴ１（約５０℃）に到達すると、制御回路１９はサーミスタ３３の温度を検知する温度検知手段３２より温度情報を入手し、上操作部１４に高温注意ランプ点灯命令を出力する。上操作部１４は前記点灯命令を受け、高温注意ランプ１５を点灯する。一方加熱を終了した際は、サーミスタ３３の検知温度が図４に示す温度Ｔ２（約７０℃）まで下がるまで、制御回路１９は上操作部に対して高温注意ランプ１５を点滅動作させるよう指令を出し続け、Ｔ２を下回った後制御回路１９が上操作部１４に対して消灯命令を出し高温注意ランプ１５は消灯する（例えば、特許文献１、特許文献２参照）。
【先行技術文献】
【特許文献】
【０００３】
【特許文献１】特開２００２−７５６１４号公報
【特許文献２】特開２００７−３５３４１号公報
【発明の概要】
【発明が解決しようとする課題】
【０００４】
しかしながら、前記従来の構成では、サーミスタの温度に応じて高温注意ランプを点灯させる場合、サーミスタの温度検知遅れにより、ガラスプレート或いは被加熱物の温度が高くなっているにもかかわらず、高温注意ランプが点灯しないことがあるという課題を有していた。
【０００５】
また、電気抵抗発熱式加熱手段に対しては、誘導加熱装置とは異なり相当な高温になる為、基本的にサーミスタは使えないという課題も有している。それらの対策として、サーミスタの温度によらず、加熱開始直後に高温注意ランプを点灯させるという事も考えられるが、加熱直後に点灯しても、実際のガラスプレートは徐々に熱くなるという特性を持つ為、全く熱くないというのが現実である。また使用者にとっても、加熱と同時に点灯するのでは、加熱入り切りランプと間違い易く、使用者に対しガラスプレートが高温であるという本来の注意喚起の意図が伝わり難い課題も有する。
【課題を解決するための手段】
【０００６】
本発明は、上記従来の課題を解決するもので、予め加熱後の温度上昇特性を測定しておき、その特性を基に、加熱開始後ある時間を経て人体が熱いと感じる温度に到達する時間経過後に、高温注意ランプの点灯或いは点滅を行うものである。
【発明の効果】
【０００７】
特に電気抵抗発熱式加熱手段の加熱開始後、ある程度時間が経過した後のガラスプレートは、鍋等の被加熱物や加熱装置の熱により高温になりつつある為、不意にガラスプレートや鍋等の被加熱物に触れれば、人によっては火傷を負う事が予想される。ある程度時間が経過して、一般に人体が高温である事を感じ始める時間が経過した後に高温注意ランプ
を点灯させる事で、使用者に対して注意を促す事が出来、使用者が火傷などの被害に遭う事を未然に防ぐ安全装置を安価に実現する事が出来る。
【図面の簡単な説明】
【０００８】
【図１】本発明の実施の形態１における加熱調理器の上面図
【図２】本発明の実施の形態１における加熱調理器の断面図
【図３】従来の誘導加熱調理器のブロック図
【図４】従来の誘導加熱調理器および本発明の実施の形態１における時間―ガラスプレート上昇温度のグラフ及び高温注意ランプの点灯方法を示す図
【図５】本発明の実施の形態３における時間―ガラスプレート上昇温度のグラフ及び高温注意ランプの点灯方法を示す図
【発明を実施するための形態】
【０００９】
第１の発明は、外郭を構成する本体と、前記本体上面に設けた耐熱性かつ電気絶縁物よりなるガラスプレートと、前記ガラスプレート上に設けた少なくとも一つの加熱部と、前記ガラスプレートの下方に前記加熱部に対応して設けられた電気抵抗発熱式加熱手段と、前記ガラスプレート上に前記加熱手段に対応して設けた加熱条件を入力する上操作部と、前記本体前面に設けた、少なくとも一つの加熱調理を入力する前操作部と、前記上操作部と前記前操作部からの入力信号により前記電気抵抗発熱式加熱手段を制御する制御回路とを備え、前記前操作部または上操作部により、少なくとも一つの加熱調理を開始した際、予め決めておいた時間が経過した後、高温注意ランプの点灯または点滅を開始するようにした。これにより、使用者はガラスプレートまたは被加熱物が高温である事を認知する事が出来、火傷などの被害に遭う事を未然に防ぐ事が出来る。
【００１０】
第２の発明は、特に第１の発明の加熱調理器において、前記電気抵抗発熱式加熱手段加熱手段と前記ガラスプレート間にサーモスタットを具備し、前記サーモスタットが所定の温度に達し、作動すると同時に高温注意ランプの表示方法を点灯から素早い点滅へと変化させる事で、使用者に対して更なる注意を促す事が出来る。
【００１１】
第３の発明は、特に第１の発明の加熱調理器において、高温注意ランプの点灯方法を時間と共に変化させるもので、時間の経過と共に高温注意ランプの明るさを徐々に明るくし、所定の時間経過後に最高輝度とする事で、使用者に対して被加熱物及びガラスプレートの温度が上昇している事を視覚的に訴える事が出来、更なる注意を促す事が出来る。
【００１２】
第４の発明は、特に第１の発明の加熱調理器において、高温注意ランプの点灯方法を時間と共に変化させるもので、時間の経過と共に高温注意ランプの点灯方法を緩やかな点滅から素早い点滅へと徐々に変化させ、所定の時間経過後に点滅スピードを最高とする事で、使用者に対して被加熱物及びガラスプレートの温度が上昇している事を視覚的に訴える事が出来、使用者に対して更なる注意を促す事が出来る。
【００１３】
第５の発明は、特に第１から第４の発明の加熱調理器において、使用者が加熱を停止した直後に、音声にて被加熱物及びガラスプレートが高温である事を注意するメッセージを流す事で、使用者に対して注意を促す事が出来る。
【００１４】
以下、本発明の実施の形態について、図面を参照しながら説明する。なお、本実施の形態によって、本発明が限定されるものではない。
【００１５】
（実施の形態１）
図１は、本発明の実施の形態１における加熱調理器の上面図を示すものである。また、図２は、本発明の実施の形態１における加熱調理器の断面図を示すものである。
【００１６】
図１、図２において、１は外郭を構成する本体、２はガラスなど電気絶縁物からなるガラスプレート、３ａ〜３ｃは加熱部、４はガラスプレート２の表面に配置した上操作部、５は高温注意ランプ、６は前記本体１の前面に設けられた、少なくとも一つの加熱調理を入力する前操作部、７は電熱線などの抵抗体に交流電流を流す事により加熱を行う電気抵抗発熱式加熱手段、８は鍋などの被加熱物、９は前記上操作部４と前記前操作部６からの入力信号により前記電気抵抗発熱式加熱手段７を制御する制御回路、１０は前記電気抵抗発熱式加熱手段７の温度を検知して温度制御や過熱防止に使用されるサーモスタットである。
【００１７】
以上のように構成された加熱調理器について、以下動作、作用を説明する。
【００１８】
前記ガラスプレート２の表面に配置した上操作部４または本体１の前に配置した前操作部６により少なくとも一つの加熱調理が入力されると、その動作を上操作部４または前操作部６から制御回路９へ信号が行き、制御回路９はその信号に基いて、電気抵抗発熱式加熱手段７への電流を流し始め加熱を開始させる。予め加熱開始からのガラスプレート２上の加熱部３の温度上昇特性を測定しておき、加熱開始から図４における温度Ｔ１となる時間ｔ１を制御回路９は制御回路内の記憶装置（図示せず）に記憶しておき、加熱開始からｔ１経過後、制御回路９は上操作部４に対して高温注意ランプを点灯する為の信号を送出し、上操作部４はその信号を受けた後、高温注意ランプ５を点灯させる。
【００１９】
同様に加熱終了時は加熱終了から図４におけるＴ２となる時間（ｔ３−ｔ２）を前記制御回路９の記憶装置（図示せず）に記憶しておき、加熱終了から（ｔ３−ｔ２）経過後、制御回路９は上操作部４に対して、高温注意ランプを消灯させるための信号を送出し、上操作部４は祖の信号を受けた後、高温注意ランプ５を消灯させる。
【００２０】
（実施の形態２）
基本は実施の形態１と同じなので、異なる部分のみ説明する。
【００２１】
図２において、１０は規定の温度に達するとスイッチの入り切りを行うサーモスタットである。前記ガラスプレート２の表面に配置した上操作部４又は本体１の前に配置した前操作部６により少なくとも一つの加熱調理が入力されると、加熱開始からｔ１時間経過後に高温注意ランプ５が点灯する。更に高温になると前記サーモスタット１０が作動し、内部のスイッチが切り替わる。その信号を制御回路９が受信すると、上操作部４に対して高温注意ランプの点灯を素早い点滅動作に変更する様信号を送出し、それを受けた上操作部４は高温注意ランプ５の点灯を素早い点滅へと切替える。加熱終了時はサーモスタット１０の温度も下がるので、サーモスタット１０の内部スイッチが元に戻るまでは素早い点滅動作を継続する。前記サーモスタット１０の内部スイッチが元に戻った後は、その信号を制御回路９が受信し、高温注意ランプの点灯方法を素早い点滅から緩やかな点滅へと切り替える為の信号を送出する。それを受けた上操作部４は高温注意ランプ５の点灯方法を素早い点滅から緩やかな点滅へと戻す。更に加熱を終了してから（ｔ３−ｔ２）経過後制御回路９は高温注意ランプ５を消灯させる信号を送出し、高温注意ランプ５は消灯する。
【００２２】
（実施の形態３）
本実施の形態３を図２及び図５を用いて説明する。基本は実施の形態１と同じなので、異なる部分のみ説明する。
【００２３】
前記ガラスプレート２の表面に配置した上操作部４又は本体１の前に配置した前操作部６により少なくとも一つの加熱調理が入力されると、加熱開始からｔ１時間経過後に高温注意ランプ５が点灯する。サーモスタットが働くまでの時間をｔｓとすると（図５参照）
、（ｔｓ−ｔ１）を何点かに区切り、各区切り時間毎に高温注意ランプを流す電流を、マルチプレクサまたは電子ボリュームなどを使用し抵抗値を変化させる事により変化させ、加熱開始直後は高温注意ランプ５の輝度は低く設定し、ガラスプレート２及び被加熱物８が高温になるに従い、高温注意ランプに流す電流を多くする事で、温度が上がると共に高温注意ランプの輝度を上げていく事が出来る。
【産業上の利用可能性】
【００２４】
以上のように、本発明にかかる加熱調理器は、一般に人体が高温である事を感じ始める時間が経過した後に高温注意ランプを点灯させる事で、使用者に対して注意を促す事が出来、使用者が火傷などの被害に遭う事を未然に防ぐ安全装置を安価に実現する事ができ、誘導加熱調理器などにも適用できる。
【符号の説明】
【００２５】
１  本体
２  ガラスプレート
３  加熱部
４  上操作部
５  高温注意ランプ
６  温度センサ
７  電気抵抗発熱式加熱手段
８  被加熱物
９  制御回路
１０  サーモスタット
【図１】
2010266112.tif 000003
【図２】
2010266112.tif 000004
【図３】
2010266112.tif 000005
【図４】
2010266112.tif 000006
【図５】
2010266112.tif 000007